(57)【要約】【課題】脛及び大腿の前部をマッサージすることのできる新しい感覚のマッサージ効果を得ることのできる下肢用マッサージ機を提供する。【解決手段】足先、脛及び大腿をマッサージする下肢用マッサージ機であって、足先をマッサージする足先用ユニット20と、足先用ユニット20に回動自在に連繋され、脛の前側に内面が当接可能な脛用カバー部31と、該脛用カバー部31の内面側に配備された脛用マッサージ手段36と、を有する脛用ユニット30と、脛用ユニット30の先端に連繋され、大腿の前側に内面が当接可能な大腿用カバー部41と、該大腿用カバー部41の内面側に配備された大腿用マッサージ手段46と、を有する大腿用ユニット40と、該大腿用ユニット40に出没可能に配備され、突出することにより、骨盤近傍に内面が当接可能な骨盤用カバー部81と、該骨盤用カバー部81の内面側に配備された骨盤用マッサージ手段83と、を有する骨盤用ユニット80と、を有する。【選択図】図３７
2011245237.tif 000002
【特許請求の範囲】
【請求項１】
被施療者の足先、脛及び大腿をマッサージすることのできる下肢用マッサージ機であって、
被施療者の足先をマッサージする足先用ユニットと、
足先用ユニットに連繋され、被施療者の脛の前側に内面が当接可能な脛用カバー部と、該脛用カバー部の内面側に配備された脛用マッサージ手段と、を有する脛用ユニットと、
脛用ユニットの先端に回動自在に連繋され、被施療者の大腿の前側に内面が当接可能な大腿用カバー部と、該大腿用カバー部の内面側に配備された大腿用マッサージ手段と、を有する大腿用ユニットと、
該大腿用ユニットに出没可能に配備され、突出することにより、被施療者の骨盤近傍に内面が当接可能な骨盤用カバー部と、該骨盤用カバー部の内面側に配備された骨盤用マッサージ手段と、を有する骨盤用ユニットと、
を有することを特徴とする下肢用マッサージ機。
【請求項２】
骨盤用ユニットは、骨盤用カバー部が、脛用ユニットの先端から後方に向けてスライド可能に出没する請求項１に記載の下肢用マッサージ機。
【請求項３】
骨盤用ユニットは、骨盤用カバー部が、脛用ユニットに回動可能に支持されている請求項１に記載の下肢用マッサージ機。
【請求項４】
被施療者の足先、脛及び大腿をマッサージすることのできる下肢用マッサージ機であって、
被施療者の足先をマッサージする足先用ユニットと、
足先用ユニットに連繋され、被施療者の脛の前側に内面が当接可能な脛用カバー部と、該脛用カバー部の内面側に配備された脛用マッサージ手段と、を有する脛用ユニットと、
脛用ユニットの先端に回動自在に連繋され、被施療者の大腿の前側に内面が当接可能な大腿用カバー部と、該大腿用カバー部の内面側に配備された大腿用マッサージ手段と、を有する大腿用ユニットと、
を有しており、
大腿用カバー部は、大腿用ユニットを被施療者の大腿に当接させたときに上側となる位置に天面を有しており、該天面に被施療者の手先をマッサージする手先用マッサージ手段を具えた手先用ユニットを具備することを特徴とする下肢用マッサージ機。
【請求項５】
手先用ユニットは、大腿用カバー部に出没可能に配備される請求項４に記載の下肢用マッサージ機。
【請求項６】
大腿用カバー部は、基端面に凹部を有し、該凹部に被施療者の指先をマッサージする指先用マッサージ手段を配備した請求項４又は請求項５に記載の下肢用マッサージ機。
【請求項７】
被施療者の足先、脛及び大腿をマッサージすることのできる下肢用マッサージ機であって、
被施療者の足先をマッサージする足先用ユニットと、
足先用ユニットに連繋され、被施療者の脛の前側に内面が当接可能な脛用カバー部と、該脛用カバー部の内面側に配備された脛用マッサージ手段と、を有する脛用ユニットと、
脛用ユニットの先端に回動自在に連繋され、被施療者の大腿の前側に内面が当接可能な大腿用カバー部と、該大腿用カバー部の内面側に配備された大腿用マッサージ手段と、を有する大腿用ユニットと、
を有しており、
大腿用カバー部は、側面に被施療者の前腕をマッサージする前腕用マッサージ手段を具えた前腕用ユニットを具備することを特徴とする下肢用マッサージ機。
【請求項８】
前腕用ユニットは、大腿用カバー部に出没可能に配備される請求項７に記載の下肢用マッサージ機。
【発明の詳細な説明】
【技術分野】
【０００１】
本発明は、被施療者の下肢、即ち、足先、脛及び大腿をマッサージすることのできる下肢用マッサージ機に関するものである。
【背景技術】
【０００２】
被施療者の下肢、即ち、足先(くるぶしより下)とふくらはぎを同時にマッサージすることのできる下肢用マッサージ機が提案されている。
この種下肢用マッサージ機では、被施療者は、足先にマッサージを施す足先用ユニットに足先を挿入すると共に、ふくらはぎの裏部及び側部にマッサージを施すふくらはぎ用ユニットにふくらはぎを挿入し、エアバッグ等のマッサージ手段によって足先及びふくらはぎにマッサージを施している(例えば、特許文献１参照)。
【０００３】
また、被施療者のふくらはぎと大腿を同時にマッサージすることのできる椅子型マッサージ機も提案されている(例えば、特許文献２参照)。
この種椅子型マッサージ機では、被施療者の腰掛ける座部に大腿をマッサージするマッサージ手段を配置すると共に、座部の前端にふくらはぎの裏部及び側部にマッサージを施すふくらはぎ用ユニットを具え、被施療者の大腿及びふくらはぎにマッサージを施している(例えば、特許文献２参照)。
【先行技術文献】
【特許文献】
【０００４】
【特許文献１】特許第４０１７６０８号公報
【特許文献２】特許第４０１９６６１号公報
【発明の開示】
【発明が解決しようとする課題】
【０００５】
上記特許文献１及び特許文献２のマッサージ機は、何れも被施療者のふくらはぎをふくらはぎ用ユニットに後ろ向きに挿入し、ふくらはぎの裏部及び側部をマッサージするものである。
また、特許文献２のマッサージ機は、座部に配置されたマッサージ手段によって、被施療者の大腿の裏部をマッサージするものである。
即ち、被施療者の脛や大腿の前部をマッサージすることのできるマッサージ機は提案されていなかった。
【０００６】
本発明の目的は、被施療者の脛及び大腿の前部をマッサージすることのできる新しい感覚のマッサージ効果を得ることのできる下肢用マッサージ機を提供することである。さらに、下肢の他に、骨盤や前腕や手先をマッサージできるようにするものである。
【課題を解決するための手段】
【０００７】
上記課題を解決するために、本発明の下肢用マッサージ機は、
被施療者の足先、脛及び大腿をマッサージすることのできる下肢用マッサージ機であって、
被施療者の足先をマッサージする足先用ユニットと、
足先用ユニットに連繋され、被施療者の脛の前側に内面が当接可能な脛用カバー部と、該脛用カバー部の内面側に配備された脛用マッサージ手段と、を有する脛用ユニットと、
脛用ユニットの先端に回動自在に連繋され、被施療者の大腿の前側に内面が当接可能な大腿用カバー部と、該大腿用カバー部の内面側に配備された大腿用マッサージ手段と、を有する大腿用ユニットと、
該大腿用ユニットに出没可能に配備され、突出することにより、被施療者の骨盤近傍に内面が当接可能な骨盤用カバー部と、該骨盤用カバー部の内面側に配備された骨盤用マッサージ手段と、を有する骨盤用ユニットと、
を有するものである。
【０００８】
また、本発明の下肢用マッサージ機は、
被施療者の足先、脛及び大腿をマッサージすることのできる下肢用マッサージ機であって、
被施療者の足先をマッサージする足先用ユニットと、
足先用ユニットに連繋され、被施療者の脛の前側に内面が当接可能な脛用カバー部と、該脛用カバー部の内面側に配備された脛用マッサージ手段と、を有する脛用ユニットと、
脛用ユニットの先端に回動自在に連繋され、被施療者の大腿の前側に内面が当接可能な大腿用カバー部と、該大腿用カバー部の内面側に配備された大腿用マッサージ手段と、を有する大腿用ユニットと、
を有しており、
大腿用カバー部は、大腿用ユニットを被施療者の大腿に当接させたときに上側となる位置に天面を有しており、該天面に被施療者の手先をマッサージする手先用マッサージ手段を具えた手先用ユニットを具備する。
【０００９】
さらに、本発明の下肢用マッサージ機は、
被施療者の足先、脛及び大腿をマッサージすることのできる下肢用マッサージ機であって、
被施療者の足先をマッサージする足先用ユニットと、
足先用ユニットに連繋され、被施療者の脛の前側に内面が当接可能な脛用カバー部と、該脛用カバー部の内面側に配備された脛用マッサージ手段と、を有する脛用ユニットと、
脛用ユニットの先端に回動自在に連繋され、被施療者の大腿の前側に内面が当接可能な大腿用カバー部と、該大腿用カバー部の内面側に配備された大腿用マッサージ手段と、を有する大腿用ユニットと、
を有しており、
大腿用カバー部は、側面に被施療者の前腕をマッサージする前腕用マッサージ手段を具えた前腕用ユニットを具備する。
【発明の効果】
【００１０】
本発明の下肢用マッサージ機は、被施療者の足先、脛、大腿及び骨盤近傍の広い範囲をマッサージすることができる。特に、脛及び大腿には、前側及び／又は斜め前側からマッサージすると共に、骨盤を側部からマッサージする従来にない新しい感覚のマッサージ効果を得ることができる。
骨盤用ユニットは、使用しない場合には、大腿用ユニットへ収納できるので、下肢用マッサージ機の小型化を図ることができる利点がある。
【００１１】
また、大腿用ユニットに被施療者の手先をマッサージする手先用マッサージ手段を具備することで、下肢だけでなく手先にマッサージを施すことができ、血行を改善する効果を飛躍的に高めることができる。
【００１２】
さらに、大腿用ユニットに被施療者の前腕をマッサージする前腕用マッサージ手段を具備することで、下肢だけでなく前腕にマッサージを施すことができ、血行を改善する効果を飛躍的に高めることができる。
【図面の簡単な説明】
【００１３】
【図１】本発明の下肢用マッサージ機の斜視図であって、被施療者がマッサージを受けている状態を示す斜視図である。
【図２】本発明の下肢用マッサージ機を斜め後方から見た斜視図である。
【図３】本発明の下肢用マッサージ機の正面図である。
【図４】図３の線Ａ−Ａに沿う矢視断面図である。
【図５】本発明の下肢用マッサージ機を斜め後方から見た斜視図であって、後方壁を取り除いた状態を示している。
【図６】本発明の下肢用マッサージ機の側面図であって、被施療者がマッサージを受けている状態を示す側面図である。
【図７】足先用ユニットをベースに対してほぼ直立させた状態を示す断面図である。
【図８】足先用ユニットをベースに対して後方に回動させた状態を示す断面図である。
【図９】足先用ユニットをベースに対してさらに後方に回動させた状態を示す断面図である。
【図１０】被施療者が椅子等に腰掛けて本発明の下肢用マッサージ機によりマッサージを受けている状態を示す説明図である。
【図１１】被施療者が膝から下を前方に軽く伸ばした状態で本発明の下肢用マッサージ機によりマッサージを受けている状態を示す説明図である。
【図１２】被施療者が寝転んだ状態で本発明の下肢用マッサージ機によりマッサージを受けている状態を示す説明図である。
【図１３】足先用ユニットの角度調節手段の側面図であって、位置決め状態を示している。
【図１４】図１３の線Ｂ−Ｂに沿う矢視断面図である。
【図１５】足先用ユニットの角度調節手段の側面図であって、回動可能状態を示している。
【図１６】凹状の脛用ユニットによりマッサージを施している状態を示す説明図である。
【図１７】筒状の脛用ユニットによりマッサージを施している状態を示す説明図である。
【図１８】本発明の下肢用マッサージ機を斜め後方から見た斜視図であって、脛用ユニットを足先用ユニットに対して上方にスライドさせた状態を示す斜視図である。
【図１９】脛用ユニットを足先用ユニットに対して上方にスライドさせた状態を示す正面図である。
【図２０】図１９の線Ｃ−Ｃに沿う矢視断面図である。
【図２１】図２０の線Ｄ−Ｄに沿う矢視断面図である。
【図２２】脛用ユニットの高さ調節手段の斜視図であって、位置決め状態を示している。
【図２３】図２２の平面図である。
【図２４】脛用ユニットの高さ調節手段の斜視図であって、スライド可能状態を示している。
【図２５】図２４の平面図である。
【図２６】脛用ユニットを足先用ユニットに対して上方にスライド可能とした下肢用マッサージ機の他の実施例を示す断面図である。
【図２７】図２６の下肢用マッサージ機の脛用ユニットを足先用ユニットに対して上方にスライドさせた断面図である。
【図２８】図２７の線Ｅ−Ｅに沿う矢視断面図である。
【図２９】大腿用ユニットを脛用ユニットに対してスライドさせた状態を示す説明図である。
【図３０】大腿用ユニットのスライド調節手段の断面図である。
【図３１】図３０の線Ｆ−Ｆに沿う矢視断面図であって、大腿用ユニットを位置決めした状態を示す断面図である。
【図３２】図３０の線Ｆ−Ｆに沿う矢視断面図であって、大腿用ユニットをスライドさせた状態を示す断面図である。
【図３３】骨盤用ユニットをスライド可能に具えた下肢用マッサージ機の説明図である。
【図３４】図３３の線Ｇ−Ｇに沿う矢視断面図である。
【図３５】骨盤用ユニットを後方にスライドした状態を示す下肢用マッサージ機の説明図である。
【図３６】被施療者が椅子等に腰掛けて下肢用マッサージ機によりマッサージを受けている状態を示す説明図である。
【図３７】骨盤用ユニットを後方にスライドした状態で被施療者に骨盤マッサージを施している状態を示す説明図である。
【図３８】骨盤用ユニットを回動可能に具えた下肢用マッサージ機の説明図である。
【図３９】骨盤用ユニットを後方に向けて回動している状態を示す下肢用マッサージ機の説明図である。
【図４０】骨盤用ユニットを後方に回動させた状態を示す下肢用マッサージ機の説明図である。
【図４１】被施療者が椅子等に腰掛けて下肢用マッサージ機によりマッサージを受けている状態を示す説明図である。
【図４２】骨盤用ユニットを後方に回動させた状態で被施療者に骨盤マッサージを施している状態を示す説明図である。
【図４３】被施療者が椅子等に腰掛けて、手先用ユニットを具えた下肢用マッサージ機によりマッサージを受けている状態を示す斜視図である。
【図４４】手先用ユニットの説明図である。
【図４５】図４４の線Ｈ−Ｈに沿う矢視断面図である。
【図４６】図４５の線Ｉ−Ｉに沿う矢視断面図である。
【図４７】手先用ユニットを出没可能に具えた大腿用ユニットの説明図である。
【図４８】被施療者が椅子に腰掛けた状態で、手先用ユニットによりマッサージを受けている状態を示す説明図である。
【図４９】前腕用マッサージ手段を収納した状態を示す大腿用ユニットの説明図である。
【図５０】前腕用マッサージ手段を側方に引き出した状態を示す大腿用ユニットの説明図である。
【図５１】前腕用マッサージ手段を後方にスライド可能に具えた下肢用マッサージ機の説明図である。
【図５２】前腕用マッサージ手段を後方にスライドさせた状態を示す下肢用マッサージ機の説明図である。
【図５３】図５１の前腕マッサージ手段のスライド機構を示す拡大図である。
【図５４】前腕マッサージ手段を後方にスライドさせた状態を示すスライド機構の拡大図である。
【発明を実施するための形態】
【００１４】
図１乃至図４は、本発明の下肢用マッサージ機(10)を示している。
以下では、被施療者の下肢として、被施療者の足先(Ｌ１)、脛(Ｌ２)及び大腿(Ｌ３)をマッサージすることのできる下肢用マッサージ機(10)について説明を行なう。
【００１５】
また、以降、本明細書において、被施療者(Ｐ)の足先(Ｌ１)とは、図６に示すように、くるぶしよりも下の部分を意味する。また、脛(Ｌ２)とは、膝とくるぶしの間の部分であって、被施療者(Ｐ)が直立した状態で、前側に位置する部分を意味し、場合によっては、脛(Ｌ２)には、その側部を含む。さらに、大腿(Ｌ３)とは、股と膝の間の部分であって、被施療者(Ｐ)が直立した状態で、前側に位置する部分を意味し、場合によっては、大腿(Ｌ３)には、その側部を含むものとする。
骨盤(Ｂ)とは、臀部の両側とその近傍を含むものとし、手先(Ｈ)は、手の平、手の甲(Ｈ１)及び指先(Ｈ２)を含み、前腕(Ａ)は、手首と肘との間を意味する。
【００１６】
本発明の下肢用マッサージ機(10)は、床面に載置されるベース(11)に被施療者(Ｐ)の足先(Ｌ１)をマッサージする足先用ユニット(20)、被施療者(Ｐ)の脛(Ｌ２)をマッサージする脛用ユニット(30)、被施療者(Ｐ)の大腿(Ｌ３)をマッサージする大腿用ユニット(40)を有している。
【００１７】
＜ベース(11)＞
ベース(11)は、下肢用マッサージ機(10)を床面に安定して載置できるプレート(12)と、該プレート(12)の左右前方から上方に向けて突設された一対のフランジ(13)(13)を有している。
【００１８】
＜足先用ユニット(20)＞
ベース(11)のフランジ(13)(13)間には、足先用ユニット(20)が取り付けられている。図示の実施例では、足先用ユニット(20)は、ベース(11)に対して回動自在に支持されており、足先用ユニット(20)のベース(11)に対する角度を変更可能としている。
【００１９】
図７乃至図９は、ベース(11)に対して、足先用ユニット(20)を回動させた状態を示す説明図、図１０乃至図１２は、被施療者(Ｐ)が下肢用マッサージ機(10)に下肢を挿入した状態で、下肢用マッサージ機(10)を回動させた状態を示している。
被施療者(Ｐ)は、膝から下を床面に対してほぼ垂直な状態でマッサージを受けたい場合には、図７及び図１０に示すように、足先用ユニット(20)がベース(11)に対してほぼ平行になるように角度調整すればよい。
また、膝から下を少し前に投げ出した状態でマッサージを受けたい場合には、図８及び図１１に示すように、足先用ユニット(20)をベース(11)に対して後方へ少し傾けるように角度調整すればよい。
さらに、被施療者(Ｐ)が寝転んだ状態でマッサージを受けたい場合には、図９及び図１２に示すように、足先用ユニット(20)をベース(11)に対してさらに後傾させればよい。
【００２０】
上記のように、足先用ユニット(20)をベース(11)に対して角度調整するために、図１３乃至図１５に示すように、足先用ユニット(20)とベース(11)を角度調節手段(50)によって連繋することが望ましい。
図示の角度調節手段(50)は、足先用ユニット(20)の回動中心となる支持軸(51)がベース(11)のフランジ(13)から内向きに突設されており、該支持軸(51)を中心として、ベース(11)に環状の内歯ギア(52)が刻設されている。足先用ユニット(20)は、足先用カバー部(21)の側面に、前記支持軸(51)に嵌まる軸受(53)が突設されており、内歯ギア(52)と噛合可能な円弧状のロックプレート(54)(54)を有している。ロックプレート(54)(54)は、基端側が夫々足先用カバー部(21)に軸支(55)(55)されており、外側周面にギア(56)(56)が刻設されている。ロック状態では、ロックプレート(54)(54)は、ロックプレート(54)(54)の先端に取り付けられたヘリカルスプリング(57)(57)により、ギア(56)(56)が内歯ギア(52)(52)に噛み合うように付勢されていると共に、ロックプレート(54)(54)の先端に取り付けられたワイヤー(58)(58)を引っ張ると、ヘリカルスプリング(57)(57)の付勢力に抗して、ロックプレート(54)(54)のギア(56)(56)を内歯ギア(52)(52)から引き離すようにしている。ワイヤー(58)(58)の他端は、被施療者(Ｐ)が操作しやすい位置に配備すればよい。
【００２１】
然して、足先用ユニット(20)は、ワイヤー(58)(58)を操作しない状態では、ロックプレート(54)(54)がヘリカルスプリング(57)(57)の付勢力により、ベース(11)の内歯ギア(52)(52)に押し付けられ、ギア(56)(56)が内歯ギア(52)(52)に噛合しているから、足先用ユニット(20)は、ベース(11)に対して回動しない。
この状態から、ワイヤー(58)(58)を引っ張って、ロックプレート(54)(54)のギア(56)(56)を内歯ギア(52)(52)から外すと、足先用ユニット(20)は、支持軸(51)を中心として、ベース(11)に対して回動自在となり、被施療者(Ｐ)は、図７乃至図１２に示すように、所望の角度まで足先用ユニット(20)を回動させることができる。足先用ユニット(20)を角度調節した後、ワイヤー(58)(58)を戻すことにより、ロックプレート(54)(54)は、ギア(56)(56)が内歯ギア(52)(52)に噛合する状態に復帰し、足先用ユニット(20)をベース(11)に対して固定できる。
【００２２】
足先用ユニット(20)は、外周が足先用カバー部(21)により包囲され、被施療者(Ｐ)の足先(Ｌ１)を挿入可能な足先収容部(22)を有する。足先収容部(22)は、図４に示すように、後端側上部に開口(23)を有しており、該開口(23)から被施療者(Ｐ)の足先(Ｌ１)が挿入される。
足先収容部(22)は、中央に隔壁(24)を有しており、被施療者(Ｐ)は、左右の足先(Ｌ１)を夫々独立して足先収容部(22)に挿入可能となっている(例えば、図５参照)。
また、足先収容部(22)の後端には、開口(23)に連続して、上向きに蓋壁(25)が形成されている。蓋壁(25)は、被施療者(Ｐ)が足先(Ｌ１)を足先収容部(22)に挿入したときの安定性を高めると共に、下記する足先(Ｌ１)のマッサージの際に被施療者(Ｐ)の足先(Ｌ１)が後方へ押し出されることを防止する。なお、図５では、蓋壁(25)を取り外した状態を示している。
特に、図１１や図１２に示すように、足先用ユニット(20)をベース(11)に対して傾けて使用する場合には、蓋壁(25)を設けておくことで、被施療者(Ｐ)のふくらはぎが蓋壁(25)に当たって、足先収容部(22)から脱落することを防止できる利点がある。
【００２３】
足先収容部(22)の底面(26)には、足裏をマッサージする足裏用マッサージ手段(27)を配備することができ、該足裏用マッサージ手段(27)により、被施療者(Ｐ)の足裏に指圧マッサージ等を施すことができる。図示の足裏用マッサージ手段(27)は、足裏の長手方向に沿ってスライド可能且つ足裏に向けて出没可能な指圧子を有するマッサージ手段を例示している。
また、足先収容部(22)の側面及び上面内側には、被施療者(Ｐ)の足先(Ｌ１)の甲部分をマッサージする足先用マッサージ手段(28)を配備することができる。図示の足先用マッサージ手段(28)は、夫々エアバッグであり、エアバッグを膨張、収縮させることにより、被施療者(Ｐ)の足先(Ｌ１)を圧迫、弛緩させることで、血流を高めると共に、足裏用マッサージ手段(27)による指圧マッサージの際に、足裏が底面(26)から浮き上がらないようにしている。
【００２４】
足先収容部(22)の後端には、足先用マッサージ手段(28)等、以下で述べるエアバッグを用いたマッサージ手段を膨張、収縮させるエアポンプ(15)やバルブ機構(図示せず)、その他、本発明の下肢用マッサージ機(10)の制御手段等が配備されている。
【００２５】
＜脛用ユニット(30)＞
足先用ユニット(20)の後端側上部には、脛用ユニット(30)が配備されている。
脛用ユニット(30)は、被施療者(Ｐ)の脛(Ｌ２)を包囲する脛用カバー部(31)を有する。脛用カバー部(31)は、図に示すように、前側及び側部が閉塞し、後側及び上下が開口し、中央から後方に向けて突設された隔壁(34)によって左右に分割された脛収容部(32)を有している。
脛収容部(32)の下端は、前記足先収容部(22)の開口(23)に連続しており、脛収容部(32)の下端側後部は、前記足先用ユニット(20)の蓋壁(25)により閉じられている。
【００２６】
また、脛用カバー部(31)の前側上端は、図１、図３及び図４等に示すように、上向きに延びた遮視カバー(35)が形成されており、被施療者(Ｐ)が施療中に、前方から膝周辺を視認されることを阻止している。
【００２７】
脛収容部(32)には、図４及び図１６に示すように、側面及び前面に、被施療者(Ｐ)の脛(Ｌ２)を前方及び／又は側方から押圧マッサージする脛用マッサージ手段(36)を配備することができる。
図示の脛用マッサージ手段(36)は、夫々エアバッグであり、エアバッグを膨張、収縮させることにより、被施療者(Ｐ)の脛(Ｌ２)を圧迫、弛緩させることで、血流を高めたり、足三里のつぼを指圧マッサージすることができる。エアバッグは、前記エアポンプ(15)にバルブ機構を介して接続されている。
なお、図１６(ａ)は、脛(Ｌ２)の前部と側部に脛用マッサージ手段(36)を配置した実施例である。図１６(ｂ)は、脛(Ｌ２)の前側部と側部に脛用マッサージ手段(36)を配置した実施例であり、脛(Ｌ２)を摘むようなマッサージを施すことができる。さらに、図１６(ｃ)は、脛(Ｌ２)の外側前側部と側部に脛用マッサージ手段(36)を配置した実施例であり、強いマッサージを受けると痛みを感じることのある脛骨(Ｌ２’)を避けたマッサージを施すことができる。
【００２８】
なお、脛収容部(32)は、凹状に限らず、図１７に示すように、筒状に形成することもできる。脛収容部(32)を筒状とした場合には、内面の側面及び前面に限らず、後面側にも脛用マッサージ手段(36)を配備することが望ましい。これにより、被施療者(Ｐ)の脛(Ｌ２)だけでなく、ふくらはぎにもマッサージを施すことができる利点がある。
図１７(ａ)は、脛(Ｌ２)の前部と側部から後部にかけて脛用マッサージ手段(36)を配置した実施例である。図１７(ｂ)は、脛(Ｌ２)の前側部と側部から後部にかけて脛用マッサージ手段(36)を配置した実施例であり、脛(Ｌ２)を摘むようなマッサージを施すことができる。さらに、図１７(ｃ)は、脛(Ｌ２)の外側前側部と側部から後部にかけて脛用マッサージ手段(36)を配置した実施例であり、強いマッサージを受けると痛みを感じることのある脛骨(Ｌ２’)を避けたマッサージを施すことができる。
【００２９】
脛用ユニット(30)は、図１８乃至図２０に示すように、足先用ユニット(20)に対して高さ調節できるようにすることが望ましい。これにより、下肢の長さに合わせて、脛用ユニット(30)の位置を調整することができる。
脛用ユニット(30)を高さ調節可能とする機構の一例を図１８乃至図２５に示す。
足先用ユニット(20)には、左右の足先収容部(22)を仕切る隔壁(24)から上向きにロッド(61)(62)を突設し、該ロッド(61)(62)に脛用ユニット(30)がスライド可能に嵌まっている。被施療者(Ｐ)が、脛用ユニット(30)を上方に持ち上げることで、足先用ユニット(20)に対して上方にスライドし、高さを調節することができる。
さらに、脛用ユニット(30)を高さ調節した後、位置決めするために、高さ調節手段(60)を具備することが望ましい。高さ調節手段(60)は、図２０及び図２１に示すように、脛用ユニット(30)の隔壁(34)の内部に配備され、前記ロッド(61)を把持可能なクリップ部材(63)を例示できる。
【００３０】
クリップ部材(63)は、図２２乃至図２５に示すように、閉じた状態でロッド(61)を把持可能であり、クランプ部(64)にロッド(61)を滑ることなく把持できるようにゴム等の滑り止め部材(65)が貼り付けられている。クリップ部材(63)は、トーションバネ(66)により閉じ方向に付勢されている。
クリップ部材(63)の開閉は、コントロールケーブル(67)により行なうことができる。コントロールケーブル(67)は、一方のグリップ部(64a)にアウターケーシング(68)の一端が固定されており、アウターケーシング(68)から延出したインナーケーブル(69)の先端が他方のグリップ部(64b)に固定されている。
コントロールケーブル(67)は、下肢用マッサージ機(10)の適所まで延びており、被施療者(Ｐ)がコントロールケーブル(67)を操作することで、クリップ部材(63)を図２４及び図２５に示すように開くことで、ロッド(61)の把持が解かれて、脛用ユニット(30)は高さ調節可能となる。この状態で、被施療者(Ｐ)が脛用ユニット(30)を持ち上げたり、押し下げることで、脛用ユニット(30)は足先用ユニット(20)に対してスライドし、所望の高さ位置で、図２２及び図２３に示すように、クリップ部材(63)を閉じることで、脛用ユニット(30)は位置決め可能となる。
【００３１】
なお、上記実施例では、脛用ユニット(30)を上方にスライドさせると、くるぶしの上からふくらはぎ辺りに係る部分には、脛用ユニット(30)によるマッサージが十分に施されないことがある。
そこで、図２６乃至図２８に示すように、足先用ユニット(20)と脛用ユニット(30)の分割線を段付き形状とすることが望ましい。
図示の足先用ユニット(20)は、足先収容部(22)の後端側部を上方に突出させて、この突出した部分である蓋壁(25)の内面に、足先用マッサージ手段(28)としてエアバッグ等を配備したものである。このように、足先用ユニット(20)にくるぶしの上からふくらはぎ辺りに係る部分を足先用マッサージ手段(28)によってマッサージできるようにすることで、脛用ユニット(30)を上方にスライドさせたときでも、効果の高いマッサージを受けることができる。
これは、膝からくるぶしにかけてマッサージする場合に、下方(くるぶしに近い方)は、裏側にツボが多くあり、裏側をマッサージすると気持ちよく、上方は、足三里のツボがある表側(前側)をマッサージすると気持ちがよいので、図２６及び図２７に示すように、エアバッグ(36)(28)が配備されていると、脛用ユニット(30)を上方へスライドさせた場合、脛用ユニット(30)のエアバッグ(36)と足先用ユニット(20)のエアバッグ(28)で夫々気持ちよいところをマッサージできるからである。
【００３２】
＜大腿用ユニット(40)＞
脛用ユニット(30)の上端には、図１乃至図６に示すように、被施療者(Ｐ)の大腿(Ｌ３)をマッサージする大腿用ユニット(40)が配備されている。
大腿用ユニット(40)は、脛用ユニット(30)の大腿(Ｌ３)の前部を包囲する大腿用カバー部(41)を有しており、大腿用カバー部(41)は、図に示すように、中央に突設された隔壁(44)によって左右に分割された凹状の大腿収容部(42)を有している。
【００３３】
大腿用ユニット(40)は、脛用カバー部(31)の側面に軸支(45)されて、図６に示すように、脛用ユニット(30)に対して回動可能とすることが望ましい。
大腿(Ｌ３)にマッサージを施す際には、図６に示すように、被施療者(Ｐ)の大腿(Ｌ３)に上から覆い被さるように大腿用ユニット(40)を回動させ、被施療者(Ｐ)がマッサージ終了後立ち上がる場合には、図６中二点鎖線で示すように、大腿用ユニット(40)を前方に立て掛けるように回転させればよい。
【００３４】
大腿用ユニット(40)は、図４等に示すように、大腿収容部(42)の内面に、被施療者(Ｐ)の大腿(Ｌ３)を前方及び／又は側方から押圧する大腿用マッサージ手段(46)を配備することができる。
図示の大腿用マッサージ手段(46)は、夫々エアバッグであり、エアバッグを膨張、収縮させることにより、被施療者(Ｐ)の大腿(Ｌ３)を圧迫、弛緩させることで、血流を高めたり、疲労しやすい大腿四頭筋を指圧マッサージすることができる。エアバッグは、前記エアポンプ(15)にバルブ機構を介して接続されている。
【００３５】
大腿用ユニット(40)を大腿収容部(42)が、被施療者(Ｐ)の大腿(Ｌ３)に覆い被さるように回動させ(図１及び図６参照)、大腿用マッサージ手段(46)を作動させることで、従来にない新しい感覚のマッサージを受けることができる。
【００３６】
なお、大腿用ユニット(40)は、大腿収容部(42)と逆側の面をフラットに形成することで、図１に示すように、被施療者(Ｐ)がテーブルとして使用することができ、また、この部分に操作部(17)を配置することで、操作部(17)の操作性、視認性を高めることができる。
【００３７】
＜マッサージ動作＞
上記構成の下肢用マッサージ機(10)において、被施療者(Ｐ)は、椅子等に腰掛け、図６中、二点鎖線で示すように、大腿用ユニット(40)を前方に立て掛けた状態で、足先(Ｌ１)から下肢用マッサージ機(10)に下肢を挿入する。
下肢用マッサージ機(10)に下肢を挿入した後、大腿用ユニット(40)を後方に回転させて、図１及び図６に示すように、被施療者(Ｐ)の大腿(Ｌ３)に大腿用ユニット(40)を覆い被せる。
これにより、被施療者(Ｐ)の足先(Ｌ１)は、足先用ユニット(20)の足先収容部(22)に全体が挿入され、脛(Ｌ２)は、脛用ユニット(30)の脛収容部(32)に脛(Ｌ２)の前方側から挿入され、大腿(Ｌ３)は、大腿用ユニット(40)の大腿収容部(42)に大腿(Ｌ３)の前方側(図１及び図６では大腿(Ｌ３)が横向きになっているので上側から)に挿入される。
【００３８】
このとき、必要に応じて、ベース(11)に対する足先用ユニット(20)の角度を調整したり、足先用ユニット(20)に対する脛用ユニット(30)の高さを調節することもできる。
【００３９】
被施療者(Ｐ)の下肢を下肢用マッサージ機(10)に挿入した後、各マッサージ手段(27)(28)(36)(46)等を作動させることで、被施療者(Ｐ)の下肢にマッサージが施される。
【００４０】
例えば、足先用ユニット(20)は、足裏用マッサージ手段(27)及び足先用マッサージ手段(28)により、被施療者(Ｐ)の足先(Ｌ１)、即ち足裏と甲部分等を指圧や押圧マッサージする。
脛用ユニット(30)は、脛用マッサージ手段(36)により、被施療者(Ｐ)の脛(Ｌ２)の前部及び側部を押圧して挟み込み、足三里等にマッサージを施す。
大腿用ユニット(40)は、大腿用マッサージ手段(46)により、被施療者(Ｐ)の大腿(Ｌ３)の前部及び側部を押圧して挟み込み、大腿四頭筋等にマッサージを施す。
【００４１】
マッサージ終了後は、被施療者(Ｐ)は、大腿用ユニット(40)を前方に押し上げて、下肢を下肢用マッサージ機(10)から引き抜けばよい。
【００４２】
上記のように、本発明の下肢用マッサージ機(10)によれば、足先(Ｌ１)だけでなく、脛(Ｌ２)や大腿(Ｌ３)に前方から新たな感覚の効果の高いマッサージを提供することができる。
【００４３】
なお、大腿用ユニット(40)は、脛用ユニット(30)に対して回動可能とするだけでなく、図２９に示すように、スライド可能とすることで、被施療者(Ｐ)の下肢の長さ又は所望するマッサージポイントに合わせた大腿(Ｌ３)のマッサージを施すことができる。
【００４４】
上記を実現するために、図２９乃至図３２に示すように、脛用ユニット(30)と大腿用ユニット(40)は、スライド調節手段(70)によって、スライド可能に連繋することができる。
スライド調節手段(70)は、脛用ユニット(30)に回動可能に軸支されたレール(71)と、大腿用ユニット(40)に取り付けられ、レール(71)にスライド可能に嵌まるスライダー(73)を有する。
レール(71)には、所定間隔毎に丸底の位置調整孔(72)(72)が複数開設されている。
スライダー(73)は、図３１及び図３２に示すように、スライダー(73)の基端側に開設された穴(74)に、レール(71)に向けて出没可能な位置調整ピン(75)と、該位置調整ピン(75)をレール(71)に向けて突出するよう付勢するバネ手段(76)が収容されている。
また、レール(71)とスライダー(73)との間には、位置調整ピン(75)を囲むようにスペーサ(77)が配備されている。
【００４５】
被施療者(Ｐ)が図１又は図６に示すように、大腿用ユニット(40)を大腿(Ｌ３)に覆い被せた状態で、大腿用ユニット(40)を図２９の矢印方向に引っ張ると、位置調整ピン(75)が位置調整孔(72)から外れて、大腿用ユニット(40)は、脛用ユニット(30)に対してスライドする。
所望の位置まで大腿用ユニット(40)をスライドさせた後、その近傍にある位置調整孔(72)に位置調整ピン(75)が位置合わせされると、バネ手段(76)の付勢力によって、位置調整ピン(75)は位置調整孔(72)に嵌まり、大腿用ユニット(40)は固定される。
これにより、被施療者(Ｐ)は、大腿(Ｌ３)の所望の位置にマッサージを受けることができる。
【００４６】
図３３乃至図３７は、上記のように、足先用ユニット(20)と、脛用ユニット(30)及び大腿用ユニット(40)を互いに回動自在に連繋した下肢用マッサージ機(10)において、被施療者の骨盤(Ｂ)をマッサージすることのできる骨盤用ユニット(80)を出没可能に配備した実施例である。
骨盤用ユニット(80)は、大腿用ユニット(40)の大腿用カバー部(41)の外側面に形成された上下一対のレール(48)(48)間にスライド可能に嵌まっている。
骨盤用ユニット(80)は、前記レール(48)(48)にスライド可能に嵌まる突部(82)(82)が上下に突設された骨盤用カバー部(81)を有しており、骨盤用カバー部(81)の先端側内側には、図３４に示すように、エアバッグ等の骨盤用マッサージ手段(83)が配備されている。骨盤用マッサージ手段(83)としてエアバッグを用いる場合、エアバッグは、前記ポンプ(15)にバルブ機構等を介して接続される。
【００４７】
骨盤用ユニット(80)は、非使用状態では、図３３及び図３６に示すように、大腿用カバー部(41)の前端側にスライドして収納可能となっており、被施療者が、骨盤用ユニット(80)を、図３５及び図３７に示すように後方に引き出すことで、骨盤用カバー部(81)が後方にスライドし、骨盤用マッサージ手段(83)が被施療者の骨盤(Ｂ)に当接する。
この状態で、骨盤用マッサージ手段(83)を作動させることで、被施療者の骨盤(Ｂ)に左右から押圧及び／又は指圧マッサージが施される。
【００４８】
なお、骨盤用ユニット(80)は、非使用状態では、骨盤用マッサージ手段(83)を作動させる必要がないから、骨盤用マッサージ手段(83)は、骨盤用ユニット(80)を引き出した状態でのみ作動するように、センサ等で検知して、動作を制御することが望ましい。
【００４９】
上記下肢用マッサージ機(10)によれば、被施療者は、足先(Ｌ１)、脛(Ｌ２)、大腿(Ｌ３)だけでなく、骨盤(Ｂ)もマッサージを受けることができるから、下肢全体の血行を促進し、凝りを解すことができる利点がある。
【００５０】
図３８乃至図４２は、骨盤用ユニット(80)を回動させることにより、大腿用ユニット(40)から出没可能としたものである。
図に示すように、骨盤用ユニット(80)は、一端を大腿用ユニット(40)に回動可能に支持(84)されており、内側にエアバッグ等の骨盤用マッサージ手段(83)が配備されている。骨盤用マッサージ手段(83)としてエアバッグを用いる場合、エアバッグは、前記ポンプ(15)にバルブ機構等を介して接続される。
【００５１】
大腿用カバー部(41)の外面側下部には、図３８及び図４１に示すように、外側面に骨盤用カバー部(81)を収納した状態で、骨盤用カバー部(81)の外周面と当接して、図４０及び図４２に示すように、骨盤用カバー部(81)が後方に回転した状態で、骨盤用カバー部(81)の外周面と当接し、骨盤用カバー部(81)の回動を規制する突起(49)が形成されている。図示の実施例では、骨盤用カバー部(81)は、回動端側が幅広になる形状をしているため、突起(49)は、支持部(84)の直下を中心として、先端側及び基端側に低く形成されている。
【００５２】
骨盤用ユニット(80)は、非使用状態では、図３８及び図４１に示すように、大腿用カバー部(41)の前端側に回動して収納可能となっており、被施療者が、骨盤用ユニット(80)を、図３９に示すように、斜め後方に回動させ、図４０及び図４２に示すように後方まで回動させることで、骨盤用カバー部(41)が後方に回動し、骨盤用マッサージ手段(83)が被施療者の骨盤(Ｂ)に当接する。
この状態で、骨盤用マッサージ手段(83)を作動させることで、被施療者の骨盤(Ｂ)に左右から押圧及び／又は指圧マッサージが施される。
【００５３】
なお、骨盤用ユニット(80)は、非使用状態では、骨盤用マッサージ手段(83)を作動させる必要がないから、骨盤用マッサージ手段(83)は、骨盤用ユニット(80)を引き出した状態でのみ作動するように、センサ等で検知して、動作を制御することが望ましい。
【００５４】
図４３乃至図４６は、下肢用マッサージ機(10)に被施療者が下肢を挿入した状態で、大腿用ユニット(40)の上面となる大腿用カバー部(41)の天面(41a)に被施療者の手先(Ｈ)をマッサージする手先用ユニット(90)を配備した実施例である。
手先用ユニット(90)は、前後方向が開口し、該開口から被施療者の手先(Ｈ)を挿入し、手(Ｈ１)にマッサージを施すことのできる手先用マッサージ手段(92)を収容した手先用カバー部(91)と、大腿用カバー部(41)の基端側に開設され、被施療者の指先(Ｈ２)を挿入可能な凹部(41b)に配備された指先用マッサージ手段(93)を有する。
【００５５】
図に示すように、凹部(41b)は、天面(41a)を挟んで、手先用カバー部(91)の下側に設けることが望ましい。
【００５６】
手先用マッサージ手段(92)及び指先用マッサージ手段(93)は、夫々エアバッグから構成することができ、前記ポンプ(15)にバルブ機構等を介して接続される。
図示の実施例では、手先用マッサージ手段(92)を手先用カバー部(91)の上面内側に取り付け、指先用マッサージ手段(93)を凹部(41b)の上下に夫々取り付けている。
さらに、凹部(41b)に貫通孔(41c)を開設し、該貫通孔(41c)から上側の指先用マッサージ手段(93)の上面に形成した指圧用突起(94)を天面(41a)側に向けて出没可能としている。
【００５７】
被施療者は、手(Ｈ１)を手先用カバー部(91)に挿入し、指先(Ｈ２)を曲げて凹部(41b)に挿入する。
この状態で、手先用マッサージ手段(92)及び指先用マッサージ手段(93)を作動させると、被施療者の手(Ｈ１)と指先(Ｈ２)にマッサージが施される。
図示の実施例では、被施療者の手(Ｈ１)は、エアバッグからなる手先用マッサージ手段(92)が膨張することで手の甲が押圧されると共に、エアバッグからなる指先用マッサージ手段(93)が膨張することで、貫通孔(41c)から指圧用突起(94)が突出し、掌に指圧マッサージを受けることができる。
また、被施療者の指先(Ｈ２)は、上下のエアバッグからなる指先用マッサージ手段(93)の膨張によって、押圧マッサージを受けることができる。
【００５８】
本発明の下肢用マッサージ機(10)によれば、被施療者は、足先(Ｌ１)、脛(Ｌ２)、大腿(Ｌ３)だけでなく、手先(Ｈ)にもマッサージを受けることができる利点がある。
【００５９】
図４７及び図４８は、被施療者の手先(Ｈ)をマッサージする手先用ユニット(90)を大腿用ユニット(40)から出没可能とした実施例である。
図に示すように、手先用ユニット(90)は、逆Ｌ字状の部材からなり、大腿用カバー部(41)の天面(41a)の左右に出没可能に配備される。手先用カバー部(91)と大腿用カバー部(41)の対向面には夫々エアバッグからなる手先用マッサージ手段(92)を配備している。
被施療者が手先用カバー部(91)を上方に引き出した状態で手先(Ｈ)を挿入し、手先用マッサージ手段(92)を膨張、収縮させることにより、被施療者の手先(Ｈ)に押圧マッサージが施される。
【００６０】
図４９及び図５０は、大腿用カバー部(41)の両側に被施療者の前腕(Ａ)をマッサージする前腕用ユニット(95)を大腿用ユニット(40)から出没可能としたものである。
前腕用ユニット(95)は、前腕用カバー部(96)を大腿用ユニット(40)の左右から出没可能に配備され、前腕用カバー部(96)と大腿用カバー部(41)との間に、夫々エアバッグからなる前腕用マッサージ手段(97)を配備している。
被施療者が前腕用カバー部(96)を左右に引き出した状態で前腕(Ａ)を挿入し、前腕用マッサージ手段(97)を膨張、収縮させることにより、被施療者の前腕(Ａ)に押圧マッサージが施される。
【００６１】
図５１乃至図５４は、前腕用ユニット(95)の異なる実施例を示している。
前腕用ユニット(95)は、図５１及び図５２に示すように、大腿用ユニット(40)から後方に向けてスライド可能に配備され、前腕のマッサージする位置を調整できるものである。
大腿用カバー部(41)には、前腕用カバー部(96)をスライド可能に支持するレール(98)と、周面にギアの刻設された歯車(98a)を有する。歯車(98a)は、大腿用カバー部(41)に回転自在に軸支されている。
前記レール(98)には、スライダー(98b)がスライド可能に嵌まっており、該スライダー(98b)上には、上面に前記歯車(98a)に噛合するギアの刻設されされたラック(99)を有している。スライダー(98b)を前後にスライドさせることにより、ラック(99)は、歯車(98a)を回転させつつ、スライダー(98b)と一体にスライドする。
【００６２】
スライダー(98b)の両端には、上向きに一対のスプリング(99a)(99a)が配備されており、該スプリング(99a)(99a)の上端は、前記ラック(99)と対向する面にギアの刻設されたロック用ラック(99b)に連繋されている。
ロック用ラック(99b)の上部には、前腕(図示せず)をマッサージする前腕用ユニット(95)が配備されている。前腕用ユニット(95)は、前後方向に延びる凹溝(96a)を有しており、該凹溝にエアバッグ等の前腕用マッサージ手段(97)が配備されている。
【００６３】
スプリング(99a)(99a)は、前腕用ユニット(95)が載置された状態で、ロック用ラック(99b)が歯車(98a)と噛合しないバネ強さであり、ロック用ラック(99b)が歯車(98a)と噛合していない状態では、前腕用ユニット(95)は、スライダー(98b)と一体に前後方向に移動可能である。
しかしながら、被施療者が前腕を凹溝(96a)に載せると、前腕の重みにより、スプリング(99a)(99a)が縮んでロック用ラック(99b)が歯車(98a)と噛合する。
歯車(98a)が、ラック(99)とロック用ラック(99b)に噛合することで、歯車(98a)は回転不能となり、前腕用ユニット(95)は、位置決めされる。
【００６４】
この状態で、前腕用マッサージ手段(97)を作動させることにより、被施療者の前腕にマッサージが施される。
【００６５】
被施療者が前腕を前腕用ユニット(95)の凹溝(96a)から抜くと、スプリング(99a)(99a)は復帰し、ロック用ラック(99b)が上方に押し上げられて歯車(98a)から外れるから、前腕用ユニット(95)は、前後に再度スライド可能となり、前腕用ユニット(95)を大腿用カバー部(41)に収納することができる。
【００６６】
上記前腕用ユニット(95)によれば、マッサージ中は前腕用ユニット(95)は固定され、非使用時には、スライドして大腿用ユニット(41)に収容可能であり、下肢用マッサージ機(10)をコンパクトにすることができる。
【００６７】
上記実施例では、足先用ユニット(20)、脛用ユニット(30)及び大腿用ユニット(40)をすべて具える下肢用マッサージ機(10)について説明を行なったが、足先用ユニット(20)と大腿用ユニット(40)の組合せ、脛用ユニット(30)と大腿用ユニット(40)の組合せ等でも本発明を実施できることは勿論である。
【産業上の利用可能性】
【００６８】
本発明は、被施療者の下肢、例えば、脛、大腿に新しい感覚のマッサージを施すことのできる下肢用マッサージ機として有用である。
【符号の説明】
【００６９】
(10)  下肢用マッサージ機
(11)  ベース
(20)  足先用ユニット
(22)  足先収容部
(28)  足先用マッサージ手段
(30)  脛用ユニット
(31)  脛用カバー部
(32)  脛収容部
(36)  脛用マッサージ手段
(40)  大腿用ユニット
(41)  大腿用カバー部
(42)  大腿収容部
(46)  大腿用マッサージ手段
(80)  骨盤用ユニット
(81)  骨盤用カバー部
(83)  骨盤用マッサージ手段
(90)  手先用ユニット
(91)  手先用カバー部
(92)  手先用マッサージ手段
(93)  指先用マッサージ手段
(95)  前腕用ユニット
(96)  前腕用カバー部
(97)  前腕用マッサージ手段
【図１】
2011245237.tif 000003
【図２】
2011245237.tif 000004
【図３】
2011245237.tif 000005
【図４】
2011245237.tif 000006
【図５】
2011245237.tif 000007
【図６】
2011245237.tif 000008
【図７】
2011245237.tif 000009
【図８】
2011245237.tif 000010
【図９】
2011245237.tif 000011
【図１０】
2011245237.tif 000012
【図１１】
2011245237.tif 000013
【図１２】
2011245237.tif 000014
【図１３】
2011245237.tif 000015
【図１４】
2011245237.tif 000016
【図１５】
2011245237.tif 000017
【図１６】
2011245237.tif 000018
【図１７】
2011245237.tif 000019
【図１８】
2011245237.tif 000020
【図１９】
2011245237.tif 000021
【図２０】
2011245237.tif 000022
【図２１】
2011245237.tif 000023
【図２２】
2011245237.tif 000024
【図２３】
2011245237.tif 000025
【図２４】
2011245237.tif 000026
【図２５】
2011245237.tif 000027
【図２６】
2011245237.tif 000028
【図２７】
2011245237.tif 000029
【図２８】
2011245237.tif 000030
【図２９】
2011245237.tif 000031
【図３０】
2011245237.tif 000032
【図３１】
2011245237.tif 000033
【図３２】
2011245237.tif 000034
【図３３】
2011245237.tif 000035
【図３４】
2011245237.tif 000036
【図３５】
2011245237.tif 000037
【図３６】
2011245237.tif 000038
【図３７】
2011245237.tif 000039
【図３８】
2011245237.tif 000040
【図３９】
2011245237.tif 000041
【図４０】
2011245237.tif 000042
【図４１】
2011245237.tif 000043
【図４２】
2011245237.tif 000044
【図４３】
2011245237.tif 000045
【図４４】
2011245237.tif 000046
【図４５】
2011245237.tif 000047
【図４６】
2011245237.tif 000048
【図４７】
2011245237.tif 000049
【図４８】
2011245237.tif 000050
【図４９】
2011245237.tif 000051
【図５０】
2011245237.tif 000052
【図５１】
2011245237.tif 000053
【図５２】
2011245237.tif 000054
【図５３】
2011245237.tif 000055
【図５４】
2011245237.tif 000056